(57)【特許請求の範囲】
【請求項１】
体表から胸腔内に至る切開創に装着され、胸腔鏡や手術器具の通路として使用されるポートにおいて、体表側に位置させる薄板リング状のフランジと、胸腔側に位置させる柔軟な薄板リング状の鍔と、フランジと鍔の中間部で体表から胸腔内にかけて位置させる柔軟な筒状のスリーブと、該スリーブの外周面に接してスリーブの軸方向に平行に設ける、体外へ通じる吸引通路を形成する吸引管とを備えて構成し、該吸引管の鍔側の端部であって、該鍔の上面直上の位置にスリーブの周方向に沿って配置される吸引孔を設けることを特徴とする胸腔鏡下手術用ポート。
【請求項２】
前記鍔には、前記吸引管の吸引通路と連通する通孔を備える請求項１の胸腔鏡下手術用ポート。
【請求項３】
前記フランジ、鍔、スリーブ、及び、吸引管は柔軟な樹脂により一体成型で形成される請求項１乃至２のいずれかの胸腔鏡下手術用ポート。
【請求項４】
前記スリーブの内周面は凹凸面に形成されてなる請求項１乃至３のいずれかの胸腔鏡下手術用ポート。
【請求項５】
前記スリーブの外周面には、一周囲にわたりリング状に突起するリブを備える請求項１乃至４のいずれかの胸腔鏡下手術用ポート。
【請求項６】
前記フランジの表面には、前記吸引管の吸引通路と連通する通路を備えた接続部を設け、該接続部により吸引チューブと接続されてなる請求項１乃至５のいずれかの胸腔鏡下手術用ポート。
【請求項７】
前記吸引チューブには、チューブを開閉するクランプを備える請求項６の胸腔鏡下手術用ポート。
【発明の詳細な説明】
【技術分野】
【０００１】
本発明は、胸腔鏡下手術のさいに、胸腔内に胸腔鏡や鉗子などの手術器具を導入し、操作するための通路となる胸腔鏡下手術用ポートに関する。
【背景技術】
【０００２】
胸腔鏡下手術は、肋間隙に設ける２ｃｍ程度の切開創に、体表から胸腔内に至る筒状の胸腔ポートを挿着、固定し、該胸腔ポートの通路を通して胸腔鏡を挿入して、該胸腔鏡の映像を観察しながら、別のポートから導入される手術器具を操作して治療や検査を行う手術で、患者への侵襲性が小さく、整容性に優れた手術であることから、自然気胸や肺がんに対する肺葉切除などに広く適用される術式となっている。
【０００３】
この胸腔鏡下手術は、腹腔鏡下手術とは異なり気腹ガスを導入する必要が無く、ガス漏れ防止のシールが不要なことから、これに用いる胸腔ポートは、胸腔鏡等が挿入可能で、肋間隙の切開創に固定できる、筒体にフランジ等を備えた比較的単純な構成のポートが用いられる。そして、従来のこのポートとしては硬質なものもあるが、例えば特許文献１のように、筒状のライナーに弾性変形可能な材質を用いることにより、肋間隙との適合を容易にして、ポートの挿入及び除去のさい、ならびに、胸腔内での外科手術器具の操作のさいに切開創組織への負担を小さくするとした、柔軟性を備えた器具が提案されている。
【０００４】
また、胸腔鏡下手術に限らず閉塞した空間で行われる鏡視下手術では、電気メスや焼灼子の使用により体腔内に発生してこもる煙により、胸腔鏡や腹腔鏡の視野が悪化するのを防ぐため、手術中に随時この煙を体腔外に排気する必要がある。そして通常、この排煙処理の手段として次のような方法がとられている。
・腹腔内へガスを注入（気腹）するための気腹ポート、あるいは、ポートに導入されるトロカールに備えている気腹通路を排煙通路として代用し、併用する手段。（例えば、特許文献２の腹腔鏡下用デバイス）あるいは、ポートに気腹通路と排煙通路を２ライン設ける手段。
・電気メスに備えられている排気機能により、電気メスによる処置と排気処理を切り替えて排煙する手段。
・別に設けるポートから排気管器具を挿入して排煙する手段。
【先行技術文献】
【特許文献】
【０００５】
【特許文献１】特開２０１０−９９４７５号公報
【特許文献２】特開２０１１−３１０４６号公報
【発明の概要】
【発明が解決しようとする課題】
【０００６】
前記特許文献１のような胸腔鏡ポートに、特許文献２の腹腔鏡下ポート等で用いられている排気通路を併設することにより、前記のような電気メスの機能による排気切り替え操作や、別のポート（排気ルート）を使用することなく、胸腔鏡の視界を妨げる煙を排除することができる。しかし、胸腔鏡の視界を妨げるものは、術中発生する煙だけではなく、切開創から滲み出し、切開創に接触している胸腔ポートの外周面を伝って流れ、先端に溜まって垂れたり、内周面に回り込んだりして、ポート内に挿着されている胸腔鏡にまで伝わってレンズに付着してしまう血液もまた視界を妨げる要因になることがある。そして、この血液の付着は胸腔鏡や手術器具を汚染する原因にもなっている。
【０００７】
そこで、本発明は、胸腔鏡下手術において、切開創から滲み出し、胸腔ポートの外周面を伝う血液を堰き止め、効果的に体外に吸引することで手術視野を良好に保ち、また、挿着される胸腔鏡や手術器具を清潔に保つことができる胸腔鏡下手術用ポートを提供することを課題とした。
【課題を解決するための手段】
【０００８】
本発明の胸腔鏡下手術用ポートは、体表から胸腔内に至る切開創に装着し、胸腔鏡や手術器具の通路として使用するもので、体表側に位置させる薄板リング状のフランジと、胸腔側に位置させる柔軟な薄板リング状の鍔と、フランジと鍔の中間部で体表から胸腔内にかけて位置させる柔軟な筒状のスリーブと、該スリーブの外周面に接してスリーブの軸方向に平行に設ける、体外へ通じる吸引通路を形成する吸引管とを備えて構成し、該吸引管には、吸引管の鍔側の端部であって、該鍔の上面直上の位置にスリーブの周方向に沿って配置される吸引管と通路を連通する吸引孔を設けて形成した。
【０００９】
また、各々の構成部は次のように形成されることが好ましい。
・前記鍔には、前記吸引管の吸引通路と連通する通孔を備える。
・前記フランジ、鍔、スリーブ、及び、吸引管は、柔軟な樹脂により一体成型で形成される。
・前記スリーブの内周面は凹凸面に形成される。
・前記スリーブの外周面には、一周囲にわたりリング状に突起するリブを備える。
・前記フランジの表面には、前記吸引管の吸引通路と連通する通路を備えた接続部を設け、該接続部により吸引チューブと接続されてなる。
・前記吸引チューブには、チューブを開閉するクランプを備える。
【発明の効果】
【００１０】
本発明の胸腔鏡下手術用ポートによると、切開創との接触部となるスリーブの下端部に薄板リング状の鍔を備えること、また、吸引管をスリーブの外周面に設け、該吸引管の鍔側の端部に吸引孔を備えていることにより、切開創から滲み出しスリーブ外周面を伝わって流れる血液を鍔により堰き止め、血液がスリーブ内面に回り込むのを防ぐなどして、スリーブ内腔に挿入される胸腔鏡や手術器具に血液が伝わるのを防止している。また、鍔の上面に溜まる血液が吸引孔から吸引管を通して体外に排出されることにより、血液が鍔から溢れて胸腔にこぼれたりすることがなく、前記胸腔鏡や手術器具に付着することが防止される。
【００１１】
鍔に吸引管の吸引通路と連通する通孔を備えると、胸腔内と体外が通路でつながることにより、吸引通路を血液の吸引通路としてばかりではなく、胸腔内からの煙の排気通路としても機能させることができる。
また、ポート全体を柔軟な樹脂により形成することにより、外方に広がる鍔があっても小切開創から潰した形態などに変形させての胸腔内への挿入、及び、取り外しが無理なくでき、操作の際にも切開創組織への当りがソフトなことで創部への負担を小さくすることができる。また、全体を一体成型とすることにより製造を容易とし、コストを抑えることができる。
更に、吸引孔をスリーブの周方向に沿って配置することで、切開創組織との接触により吸引孔が塞がれる懸念がない。
また、スリーブ内周面に凹凸面加工を施すことにより、挿入され操作される胸腔鏡や手術器具との摩擦抵抗が低減され、器具の挿入、抜去時や操作時に引っ掛かりがないスムーズな動きができる。
更に、スリーブの外周面に突起するリブを備えると、切開創とのストッパーとして機能しポートの外れを防止することができる。
加えて、吸引通路に接続部を介して吸引チューブを延設し、チューブを開閉するクランプを備えると、手元操作により自在に吸引のオン、オフをすることができる。
【００１２】
これらにより、発明が課題とした、切開創から滲み出し、胸腔ポートの外周面を伝う血液を効果的に外部に吸引することで手術視野を良好に保ち、また、胸腔鏡や手術器具を清潔に保つことができる胸腔鏡下手術用ポートを提供することができる。
【図面の簡単な説明】
【００１３】
【図１】本発明の実施の形態を示す全体構成図。
【図２】前記実施の形態の主要部分を示す拡大図。
【発明を実施するための形態】
【００１４】
以下、本発明の胸腔鏡下手術用ポートの実施の形態について図面を参考に詳細に説明する。
図１は本実施の形態のポートを示す全体の構成図で、Ａが平面図、Ｂが側面図、Ｃが底面図を示している。また、図２はチューブを除いたポート主要部の拡大図で、Ａが側面図、Ｂが正面図を示している。尚、図１のドットは内面の凹凸面加工を示しており、図２においては省略された。
本実施の形態の胸腔鏡下手術用ポートは、胸腔鏡下手術のさいに、２ｃｍ程度の切開創に体外から胸腔内にかけて装着され、肋間隙に挟むように設置、固定して、ポート内腔を通路として胸腔鏡や手術器具を挿入して用いられる。
【００１５】
本ポートは、胸壁にポートを装着するさい、所望位置に固定保持させるため体表に位置させる薄板リング状のフランジ１と、装着時のポートの抜け防止、及び、切開創から滲み出す血液が胸腔鏡等に伝うことを防止するために、胸腔内に位置させる薄板リング状の鍔２と、胸腔鏡等を胸腔内へ導入する通路とするために、フランジ１と鍔２を両端部として、体表から胸腔内にかけて外周面を切開創と接触して配置させる筒状のスリーブ３と、前記滲み出した血液の体外への排出、及び、胸腔内で発生する煙の体外への排気のために、スリーブ３の外周面と接してスリーブ３の軸方向に平行に設けられ、胸腔内から体外まで連通する通路を形成する吸引管４と、該吸引管４と吸引装置（図示せず）を仲介する接続チューブ６、及び、接続チューブ６に設け通路の開閉スイッチとなるクランプ７により基本構成される。そして、この内、フランジ１、鍔２、スリーブ３、及び、吸引管４は、柔軟な樹脂（本例では、シリコーン樹脂）により一体成型して形成された。
【００１６】
フランジ１は、前記の通り柔軟なシリコーン樹脂により他の部位と共に一体成型された外方に広がる薄い（本形態においては、厚さ１ｍｍ〜２ｍｍ）プレートで、リング状（本形態においては、外径４０ｍｍ、内径２０ｍｍ）に形成され、切開創に取り付けたさいに、肋間隙となる体表上の所望の位置で開口が維持されるように配置して、フランジ１面に設ける糸通し孔１１に縫合糸を通して皮膚と結紮することで体表に固定される。尚、この固定は、肋間隙に肋骨に平行となるように設けた切開創に対して、２つの糸通し孔１１を結ぶ線が、直角方向になるように配置すると、開口部を開く方向に縫合糸で固定することができることから開口を維持しやすい。また、フランジ１表面には、後記する吸引管４の内腔の吸引通路４０と連通する通路を備えたチューブ接続部４２が設けられている。
【００１７】
鍔２は、前記フランジ１と同軸に対向して設けられ、前記柔軟なシリコーン樹脂により一体成型された外方に広がる薄い（本形態においては、厚さ１．２ｍｍ）プレートで、リング状（本形態においては、外径３２ｍｍ、内径２０ｍｍ）に形成され、胸腔内に挿入されて、壁側胸膜への引っ掛かりとなって抜けを防止する。また、幅広い鍔として形成されていることから、切開創から滲み出し、スリーブ３外周面を伝わって垂れる血液を堰き止め、内周面に回り込むのを防ぎ、スリーブ３内に挿入されている胸腔鏡や手術器具への血液の伝わりを防止している。尚、薄く柔軟なことで、スリーブ３から広がる鍔形状であっても、潰すなど柔軟に変形させることで小さな切開創からの挿入や取り出しに支障が生じない。また、鍔２には、後記する吸引管４の内腔となる吸引通路４０と連通する胸腔内からの煙の排気口となる排気用通孔２１が設けられている。
【００１８】
スリーブ３は、前記フランジ１と鍔２の中間に位置する胸腔鏡や手術器具の挿入通路３２を形成する筒状の外套管で、前記柔軟なシリコーン樹脂により一体成型された薄い（本形態においては、厚さ１ｍｍ）ほぼ円筒状（本形態においては、外径２２ｍｍ、内径２０ｍｍ、長さ５０ｍｍ）の筒として形成され、胸壁に取り付けたさい、体表から胸腔内にかけ切開創と接触して配置され、前記の通り胸腔鏡や手術器具の通路３２となると共に、切開創の保護、及び、開創維持の役割を担う。尚、薄く柔軟な素材より形成されていることで押し潰すなど柔軟な変形が可能で切開創への挿入、取り出しに支障はなく、切開創への当りもソフトなことで創部に負担を掛けることがない。また、スリーブ３の内周面３１は、全面に亘りシボ加工による凹凸面が形成されており、内視鏡や手術器具を挿入、操作するさいの摩擦抵抗を低減し、器具の挿入や操作がスムーズにできるようにしている。また、外表面にはリング状に突起するリブ５を適当（本形態においては、２か所）に備え、位置の保持及び抜け防止手段としている。
【００１９】
吸引管４は、前記スリーブ３の外周面に接して軸方向に沿ってフランジ１から鍔２までスリーブ３と平行に設けられ、前記柔軟なシリコーン樹脂により一体成型された中空管の通路（本形態では、通路外径２．５ｍｍ）として形成される。そして、吸引管４の吸引通路４０は、フランジ１側は該フランジ１の上面に設けるチューブ接続部４２に連通され体外まで通じており、一方、鍔２側は該鍔２に開口される排気用通孔２１により胸腔内に通じている。これにより、電気メス等の使用により胸腔内に発生する煙の排煙通路として機能することができる。また、該吸引管４の鍔側端部となる鍔２上面直上には、スリーブ３の周方向に沿って貫通する吸引孔４１を設けて、切開創から滲み出し、スリーブ３を伝わって鍔２上面に溜まる血液の体外への排出通路とした。このように、排気用孔２１と吸引孔４１を設けることで、同一の吸引管を排煙と血液の排出に併用することができる。
【００２０】
チューブ６は、本ポートの吸引通路４０を吸引装置（図示しない）に接続するもので、一方端部は、前記フランジ１表面に備えたチューブ接続部４２に接続し、他端部には適当なコネクタ６１を設けて、該コネクタ６１により直接、あるいは、延長チューブ（図示せず）を介するなどして吸引装置に接続して吸引ラインを形成する。
【００２１】
クランプ７は、前記チューブ６の中途に取り付けられ、該チューブ６の内腔をワンタッチで開放、閉塞するスイッチの役割を果たし、クランプ７をロックすることでチューブ６が閉塞し吸引が止まり、ロックを解除することでチューブ６が開放され煙や血液を吸引することができる。該クランプ７を設けることで、吸引装置本体でスイッチの開閉をすることなく、手元操作による開閉が可能となる。
【００２２】
尚、本発明のポートは、一貫して胸腔鏡下手術に適用する器具として記載されているが、腹腔鏡下手術においても切開創とポートとの接触面における血液の伝わりがあることから、また、腹腔内の排煙も必要なことから、胸腔鏡下手術に限らず腹腔鏡手術におけるポートにも適用することができる。
【符号の説明】
【００２３】
１．    フランジ
１１．  糸通し孔
２．    鍔
２１．  排気用通孔
３．    スリーブ
３１．  スリーブ内面（凹凸面）
４．    吸引管
４０．  吸引通路
４１．  吸引孔
４２．  チューブ接続部
５．    リブ
６．    チューブ
６１．  コネクタ
７．    クランプ
【図１】
0006418612.tif 000002
【図２】
0006418612.tif 000003